(57)【要約】【課題】携帯電話機やＰＤＡ等のユーザ端末の有する個人情報をバックアップする際に、接続コードを用いてユーザ端末とパソコンを接続する等の手間隙を掛けることなく、ユーザ端末の単体でもって自機の個人情報メモリの内容を自動的にバックアップすることができ、環境を整えた場合には、ユーザインタフェースを大幅に向上させることができるユーザー端末の個人情報管理システムを提供する。【解決手段】個人情報メモリを有するユーザ端末３と、通信ネットワーク４を介して接続可能なサーバ装置２との間で、個人情報に関するデータの送受をし得るように構成される。携帯電話機３１に、電話帳データ３２、スケジュール帳データ３３、各種設定データ３４でなる個人情報メモリを設ける。この個人情報メモリを自動送出する個人情報に関するデータを、所定の時点で自動的にサーバ装置２のサーバ２２に送出して書き替え換えまたは更新が行える。パソコン端末装置５からもサーバ２２のデータ内容の書き替え換えまたは更新を行なうことができる。【選択図】    図１
2004187228.tif 000002
【特許請求の範囲】
【請求項１】
個人情報メモリを有するユーザ端末と、該ユーザ端末が通信ネットワークを介して接続可能なサーバー装置との間で、個人情報に関するデータの送受をし得るユーザ端末の個人情報管理システムにおいて、
前記サーバー装置に、前記ユーザ端末から自動送出される個人情報に関するデータを格納し得る個人情報管理用メモリを設け、該個人情報管理用メモリの格納データを、前記ユーザ端末の前記個人情報メモリから所定の時点で自動送出される個人情報データに基づいて書き換えまたは更新し得ると共に、前記個人情報管理用メモリの格納データを前記ユーザ端末または該ユーザ端末とは別の端末から読み出し得ることを特徴とするユーザ端末の個人情報管理システム。
【請求項２】
個人情報メモリを有するユーザ端末と、該ユーザ端末が通信ネットワークを介して接続可能なサーバー装置との間で、個人情報に関するデータの送受をし得るユーザ端末の個人情報管理システムにおいて、
前記サーバー装置に、前記ユーザ端末から自動送出される個人情報に関するデータを格納し得る個人情報管理用メモリを設け、該個人情報管理用メモリの格納データを、前記ユーザ端末の前記個人情報メモリから所定の時点で自動送信される個人情報データに基づいて書き換えまたは更新し得ると共に、前記個人情報管理用メモリの格納データを前記ユーザ端末とは別の端末から読み出して編集し得ることを特徴とするユーザ端末の個人情報管理システム。
【請求項３】
前記ユーザ端末から自動送出される個人情報に関する送信データは、メール受信データ及び／または送信データ、電話帳データ、スケジュール帳データ、通信履歴データ、該ユーザ端末における設定データの内の少なくとも１種であることを特徴とする請求項１または請求項２に記載のユーザ端末の個人情報管理システム。
【請求項４】
前記ユーザ端末から自動送出される個人情報に関する送信データは、メール受信データ及び／または送信データ、電話帳データ、スケジュール帳データ、通信履歴データ、該ユーザ端末における設定データの内の複数種であり、
前記サーバー装置には、前記ユーザ端末から自動送出された送信データの中から特定種類の個人情報を選択する選択手段が付加して設けられ、
前記個人情報管理用メモリに前記選択手段により選択された特定種類の個人情報を格納し得ることを特徴とする請求項１または請求項２に記載のユーザ端末の個人情報管理システム。
【請求項５】
前記選択手段は、前記ユーザ端末を介して予め設定された選択情報に基づき、前記ユーザ端末から自動送出された送信データを選択する補助選択手段を有することを特徴とする請求項４に記載のユーザ端末の個人情報管理システム。
管システム。
【請求項６】
前記送信データは、データ使用情報を含み、前記補助選択手段は、前記ユーザ端末から送出されたデータ使用情報に基づいて格納を行なうデータ種を選択することを特徴とする請求項４に記載のユーザ端末の個人情報管理システム。
【請求項７】
前記補助選択手段は、データ種別及びデータ作成日時情報に基づいて、前記個人情報管理用メモリに格納するデータを選択することを特徴とする請求項５に記載のユーザ端末の個人情報管理システム。
【請求項８】
前記情報選択手段は、データ種別及びデータ作成位置情報に基づいて、前記個人情報管理用メモリに格納することを特徴とする請求項４に記載のユーザ端末の個人情報管理システム。
【請求項９】
前記ユーザ端末の有する個人情報メモリの格納データを、前記サーバー装置に対して自動送出する時期は、予め設定した所定の日時毎に定期的に実行することを特徴とする請求項１乃至請求項８のいずれかに記載のユーザ端末の個人情報管理システム。
【請求項１０】
前記ユーザ端末の有する個人情報メモリの格納データを、前記サーバー装置に対して自動送出する時期は、送信用データの量が所定値に達する都度に実行することを特徴とする請求項１乃至請求項８のいずれかに記載のユーザ端末の個人情報管理システム。
【請求項１１】
前記ユーザ端末は、携帯電話機であることを特徴とする請求項１乃至請求項８のいずれかに記載のユーザ端末の個人情報管理システム。
【請求項１２】
前記ユーザ端末は、携帯型の情報端末であることを特徴とする請求項１乃至請求項８のいずれかに記載のユーザ端末の個人情報管理システム。
【発明の詳細な説明】
【０００１】
【発明の属する技術分野】
本発明は、ユーザ端末の個人情報管理システムに関し、特に、個人情報メモリを有するユーザ端末と、該ユーザ端末が通信ネットワークを介して接続可能なサーバー装置との間で、個人情報に関するデータの送受をし得るユーザ端末の個人情報管理システムに関する。
【０００２】
【従来の技術】
携帯電話機やＰＤＡ等のユーザ端末が普及し、音声通話もしくはメール等のデータ送信を行う際の相手先の電話番号やメールアドレス等の個人情報を、ユーザ端末に設けられた個人情報メモリに登録し、必要に応じて個人情報メモリから電話番号等の個人情報を取り出して通話やメール送受を行うことが広く行われている。
【０００３】
ユーザ端末が携帯電話機であった場合には、個人情報メモリに記録されるデータは、電話番号、着信電話番号履歴、発信電話番号履歴等の電話帳データが記録されるのみならず、その他のデータ、即ち、スケジュール帳データ、メールデータ、着信メロディデータ、待ち受け画面データ、ブックマークデータ、ホームページ作成データ、及び所定のアプリケーションを実行させるためのデータも
記録される場合が多い。
【０００４】
これらのデータが記録されている携帯電話機においては、携帯電話機とパソコンの間を専用の接続コードで接続し、この接続コードを介して双方向のデータ通信を行うことによって携帯電話機の個人情報メモリの内容をパソコンで吸い上げ、パソコンにパックアップ用データとして格納したり、個人情報メモリの内容を編集したり、パソコンに格納されているデータを携帯電話機に送信して個人情報メモリの内容を更新したり全く別の内容に書き替えることが行われている。
【０００５】
また、他形式の個人情報管理システムとしては、携帯電話機の有する電話帳情報をバックアップするに際して、携帯電話機用の無線基地局を介して携帯電話機との間でユーザ識別コードとパスワードと共に、利用者の電話帳情報を授受する交換制御装置を設け、インターネット等の通信ネットワークを介した交換制御装置の指令に従ってユーザ識別コード別に電話帳情報とパスワードをメモリに記憶させ、該メモリからバックアップデータを格納するバックアップサーバーを設けて構成している。
【０００６】
従って、携帯電話機からユーザ識別コードとパスワードと共に送信された電話帳情報の転送指令に基づいて交換制御装置がバックアップサーバーから電話帳情報を読み出して携帯電話機に転送することによってデータバックアップを行うものである。
【０００７】
【特許文献１】
特開２００２−１８５６３１号公報（図１、段落番号の［００１１］〜［００１５］）
【０００８】
更に、別の形式の個人情報管理システムとしては、ユーザが特に意識してバックアップの作業を行なわなくても、個人情報データの消失を防止して簡易に再利用することができる構成がある。
【０００９】
即ち、携帯電話機の個人情報メモリに格納された個人情報データを、携帯電話機が通話のためにホスト局との間で無線電波を介して音声信号の授受を開始したときに、この通話に連動して自動的にホスト局に伝送し、携帯電話機から伝送されたデータをホスト局に設置されたデータバックアップ装置に保存するように構成されている。
【００１０】
従って、通話が行われる毎にデータバックアップを行うことができる。
【００１１】
【特許文献２】
特開２００１−２８５９５４号公報  （図１、段落番号の［００４１］〜［００５３］）
【００１２】
【発明が解決しようとする課題】
従来のユーザ端末の個人情報管理システムは、ユーザ端末とパソコンの間を専用の接続コードで接続し、この接続コードを介して双方向のデータ通信を行ったり、インターネット回線等の通信ネットワークを用いて外部のサーバー装置にアクセスすることによって、ユーザ端末の情報メモリの内容をパックアップ用データとして外部に格納したり、個人情報メモリの内容を編集したりすることができるのであるが、専用の接続コードは、多種多様なユーザ端末に設けられたコネクタに共通的に用いるまでの汎用性が確保されておらず、その普及は追いついていないのが現状である。
【００１３】
また、ユーザ端末の個人情報メモリの内容をパックアップ用データとして外部に格納したり、個人情報メモリの内容を編集したりできる環境が整っているユーザであっても、その作業はユーザが自ら行わなければならず、作業を怠っているとバックアップ用データの更新が行われず、ユーザ端末の紛失・故障等があった時に自身の個人情報メモリの内容復元が必要とされるときに最新データを得ることができず、定期的にバックアップ作業を行っておけば良かったと後悔することがある。
【００１４】
そこで、本発明の目的は、携帯電話機やＰＤＡ等のユーザ端末の有する個人情報をバックアップする際に、接続コードを用いてユーザ端末とパソコンを接続する等の手間隙を掛けることなく、ユーザ端末の単体でもって自機の個人情報メモリの内容を自動的にバックアップすることができ、環境を整えた場合には、ユーザインタフェースを大幅に向上させることができるユーザ端末の個人情報管理システムを提供することにある。
【００１５】
【課題を解決するための手段】
前記課題を解決するために、本発明によるユーザ端末の個人情報管理システムは、次に記載するような特徴的な構成機能を採用している。
【００１６】
（１）個人情報メモリを有するユーザ端末と、該ユーザ端末が通信ネットワークを介して接続可能なサーバー装置との間で、個人情報に関するデータの送受をし得るユーザ端末の個人情報管理システムにおいて、
前記サーバー装置に、前記ユーザ端末から自動送出される個人情報に関するデータを格納し得る個人情報管理用メモリを設け、該個人情報管理用メモリの格納データを、前記ユーザ端末の前記個人情報メモリから所定の時点で自動送出される個人情報データに基づいて書き換えまたは更新し得ると共に、前記個人情報管理用メモリの格納データを前記ユーザ端末または該ユーザ端末とは別の端末から読み出し得るユーザ端末の個人情報管理システム。
【００１７】
（２）個人情報メモリを有するユーザ端末と、該ユーザ端末が通信ネットワークを介して接続可能なサーバー装置との間で、個人情報に関するデータの送受をし得るユーザ端末の個人情報管理システムにおいて、
前記サーバー装置に、前記ユーザ端末から自動送出される個人情報に関するデータを格納し得る個人情報管理用メモリを設け、該個人情報管理用メモリの格納データを、前記ユーザ端末の前記個人情報メモリから所定の時点で自動送信される個人情報データに基づいて書き換えまたは更新し得ると共に、前記個人情報管理用メモリの格納データを前記ユーザ端末とは別の端末から読み出して編集し得るユーザ端末の個人情報管理システム。
【００１８】
（３）前記ユーザ端末から自動送出される個人情報に関する送信データは、メール受信データ及び／または送信データ、電話帳データ、スケジュール帳データ、通信履歴データ、該ユーザ端末における設定データの内の少なくとも１種である上記（１）または上記（２）のユーザ端末の個人情報管理システム。
【００１９】
（４）前記ユーザ端末から自動送出される個人情報に関する送信データは、メール受信データ及び／または送信データ、電話帳データ、スケジュール帳データ、通信履歴データ、該ユーザ端末における設定データの内の複数種であり、
前記サーバー装置には、前記ユーザ端末から自動送出された送信データの中から特定種類の個人情報を選択する選択手段が付加して設けられ、
前記個人情報管理用メモリに前記選択手段により選択された特定種類の個人情報を格納し得る上記（１）または上記（２）のユーザ端末の個人情報管理システム。
【００２０】
（５）前記選択手段は、前記ユーザ端末を介して予め設定された選択情報に基づき、前記ユーザ端末から自動送出された送信データを選択する補助選択手段を有する上記（４）のユーザ端末の個人情報管理システム。
【００２１】
（６）前記送信データは、データ使用情報を含み、前記補助選択手段は、前記ユーザ端末から送出されたデータ使用情報に基づいて格納を行なうデータ種を選択する上記（４）のユーザ端末の個人情報管理システム。
【００２２】
（７）前記補助選択手段は、データ種別及びデータ作成日時情報に基づいて、前記個人情報管理用メモリに格納するデータを選択する上記（５）のユーザ端末の個人情報管理システム。
【００２３】
（８）前記情報選択手段は、データ種別及びデータ作成位置情報に基づいて、前記個人情報管理用メモリに格納する上記（４）のユーザ端末の個人情報管理システム。
【００２４】
（９）前記ユーザ端末の有する個人情報メモリの格納データを、前記サーバー装置に対して自動送出する時期は、予め設定した所定の日時毎に定期的に実行する上記（１）乃至（８）のいずれかのユーザ端末の個人情報管理システム。
【００２５】
（１０）前記ユーザ端末の有する個人情報メモリの格納データを、前記サーバー装置に対して自動送出する時期は、送信用データの量が所定値に達する都度に実行する上記（１）乃至（８）のいずれかのユーザ端末の個人情報管理システム。
【００２６】
（１１）前記ユーザ端末は、携帯電話機である上記（１）乃至（８）のいずれかのユーザ端末の個人情報管理システム。
【００２７】
（１２）前記ユーザ端末は、携帯型の情報端末である上記（１）乃至（８）のいずれかのユーザ端末の個人情報管理システム。
【００２８】
【発明の実施の形態】
以下、本発明の一実施の形態について図面を用いて詳細に説明する。先ず、第１の実施の形態について図１と図２を用いて説明する。なお、本実施の形態は、ユーザ端末が携帯電話機の場合に本発明を適用した例であり、携帯電話機の有する個人情報メモリとサーバー装置の間で双方向のデータ通信を行うことによって、個人情報メモリのデータ更新等の制御を行うと共に、パソコンとサーバー装置の間で双方向のデータ通信を行うことによっても、個人情報メモリのデータ更新や編集等の制御を行い得るように構成される。
【００２９】
本システムを用いる場合には、ユーザ１は先ずサーバー装置２のサーバー管理者２１に対する使用申し込みを、申込書の形態で郵送したり、携帯電話や固定電話を用い、パソコン等の通信機器を用いインターネット回線等の通信ネットワークを介してサーバー管理者２１と双方向のデータ通信を行ってシステムの使用申込の登録を行う必要がある。
【００３０】
即ち、ユーザ１は、サーバー装置２を用いて行われるユーザ端末３のバックアップの情報、即ち登録番号、パスワード及びサーバーＵＲＬの登録を、携帯電話機３１の操作キーを操作することにより行い、サーバー装置２にアクセスする頻度（１日１回、１週間に１回、任意の時のみ等）と、保存する情報の種類（電話帳、着信履歴、発信履歴、着信メロディ、画像、アプリケーションソフト等）を登録する。
【００３１】
具体的には、例えば図２に示すように、バックアップタイプ、バックアップ予定日時と個人情報の登録である。
【００３２】
バックアップタイプの登録は、第１乃至第４の４種の選択、即ち第１は、個人情報が更新される都度にパックアップを行う指令で、第２は、毎日の定時間以降にパックアップを行う指令で、第３は、毎週の決まった曜日の定時間以降にパックアップを行う指令で、第４は、毎月の決まった日時の定時間以降にパックアップを行う指令である。
【００３３】
バックアップ予定日時の登録は、前述のバックアップタイプの登録において第２乃至第３のいずれかが選択（登録）されたときの日付、時間の指定である。
【００３４】
個人情報の登録は、バックアップデータの種類が電話帳、スケジュール帳、メール等のデータ種類を指定すると共に、個人情報フラグの１、０の指定である。
【００３５】
そして、これらの使用申込をサーバー管理者２１が正式に受理した後に、ユーザ１に対して登録番号と仮パスワードがオフラインまたはオンラインで交付され、そのときのユーザ情報の登録がサーバー管理者２１からサーバー２２に対して行われ、ユーザ１がユーザ端末３とサーバー装置２との間でデータ送受を行うための準備が完了する。
【００３６】
ユーザ１によって操作されるユーザ端末３は、携帯電話機３１で構成され、その個人情報が格納された個人情報メモリには、主として電話帳データ３２とスケジュール帳データ３３と各種設定データ３４とが格納され、電話帳データ３２の内容は、電話番号一覧、着信機履、発信履歴、並びにこれらの番号に付随する氏名や住所等の情報であり、スケジュール帳データ３３の内容は、所定の日程管理を行うための予約日時、内容、関係者名等の情報であり、各種設定データ３４の内容は、メールデータ、着信メロディデータ、待ち受け画面データ、ブックマークデータ、ホームページ作成データ、及び所定のアプリケーションを実行させるためのデータである。
【００３７】
そして、携帯電話機３１の操作キーを用いてバックアップを行う頻度と、バックアップするデータの種類を選択して携帯電話機３１にその設定内容を、サーバー装置２の情報と共に登録する。
【００３８】
そして、ユーザ端末３からサーバー装置２に対して通信ネットワーク４を介してユーザ選択指示に合わせてアクセスして、携帯電話機３１の個人情報メモリの格納データ（電話帳データ３２、スケジュール帳データ３３、各種設定データ３４）のバックアップを行う。
【００３９】
サーバー装置２に対するアクセスは、通信ネットワーク４を介してユーザ端末３から行うことによって所望のバックアップを行うことができるが、パソコン端末装置５から通信ネットワーク６を介して行なうこともできる。
【００４０】
パソコン端末装置５のパソコン５１に設けられた個人情報メモリ（主として電話帳データ５２、スケジュール帳データ５３、各種設定データ５４）は、ユーザ端末３からサーバー装置２にアクセスすることによってサーバー２２に格納されるバックアップデータに対応するように構成される。
【００４１】
パソコン端末装置５の電話帳データ５２、スケジュール帳データ５３、各種設定データ５４は、サーバー装置２のサーバー２２の最新情報に更新したり、サーバー２２の内容に書き替えることができ、当該のデータは、ユーザ端末３の携帯電話機３１に対して任意のときにパソコン端末装置５からの指令によってダウンロードさせることが可能である。
【００４２】
携帯電話機３１は、登録されたバックアップの指令情報に基づく自動送出の時期になると自動的に発信状態になって通信ネットワーク４を介してサーバー装置２のサーバー２２にアクセスすることによって、自動バックアップが実行され、ユーザ端末３の有する電話帳データ３２、スケジュール帳データ３３及び各種設定データ３４のそれぞれの最新データが、サーバー２２の個人情報管理用メモリに上書き状態で書替えられて格納されることによってデータ更新される。
【００４３】
なお、このような一連のデータ更新の最中に、携帯電話機３１に対する呼出しが行われたり、携帯電話機３１の発信が行われたり、携帯電話機３１の動作が何らかの原因でエラーとなったときには、本来の通話に関する機能を最優先して実行できるようにし、これらの発信やアラーム等に基づく処理を個人情報メモリのデータ閲覧、データ更新、データ書き替えに優先して行い、携帯電話機３１を通常通信に使用するときの影響を極力に少なくするようにしている。
【００４４】
従って、ユーザ１は、パソコン端末装置５を用いて通信ネットワーク６を介してサーバー装置２にアクセスし、事前にサーバー管理者２１に届け出た登録番号とパスワードで認証を行うことにより、サーバー２２の有する個人情報メモリの閲覧を行うことができるのみならず、パソコン端末装置５のパソコン５１で操作指令を行うことによってバックアップ情報の登録、編集及び削除を行うことができる。
【００４５】
パソコン端末装置５を用いて指令を与えることによって編集されたサーバー２２の情報は、ユーザ端末３の携帯電話機３１よりサーバー装置２にアクセスすることによってダウンロードが可能である。
【００４６】
また、サーバー装置２を用いて行われるバックアップの情報、即ち登録番号、パスワード、サーバーＵＲＬを登録し、ユーザ１はユーザ端末３の設定と特定のサーバー２２に登録することにより、自動的に携帯電話登録情報のバックアップが行え、携帯電話の紛失・故障等に対応する事ができる。また、インターネットへアクセスできる環境があれば、容易に登録情報の登録・編集・削除を行う事が出来る。
【００４７】
さて、携帯電話機３１に設けられる個人情報メモリには電話帳データ３２、スケジュール帳データ３３、及び各種設定データ３４が格納され、これらが適宜に書き替えられるものであるが、当該の個人情報メモリのユーザ保存領域（容量）に制限があるために、サーバー装置２のサーバー２２において携帯電話機３１から送出されたデータが自機の個人情報メモリの保存領域以内となるよう選別を行なったうえで、データの登録（バックアップ）を行なうことが望ましく、このため選別の設定を、予めユーザが設定できるようにしている。
【００４８】
携帯電話機３１の電話帳データ３２の中の、個別のＩＤ情報に対応付けして記憶された画像データや着信メロディデータ及び発着呼（メール送受信）情報をサーバー装置２で受信する際には、発着呼（メール送受信）情報に基づき、メール発着呼の頻度が高いＩＤ情報から優先的に選択し、バックアップ電話帳情報として個人情報メモリに格納する。
【００４９】
例えば、アプリケーション情報及び当該アプリケーションの使用履歴情報を受信したサーバー装置２は、使用履歴情報に基づき、使用頻度が高いアプリケーション情報から優先的に選択し、バックアップアプリケーション情報としてサーバー２２の個人情報メモリに格納する。
【００５０】
例えば、画像ファイル情報のバックアップを行なう場合、サーバーは、画像ファイル情報の作成日時（撮像日時）情報より、バックアップを行なうファイルを選別（例えば、同一作成日（撮像日）のファイル選択を避ける等）したり、あるいは、ユーザ端末３の携帯電話機３１が位置検出機能を備えているか、又は位置情報を取得する機能を備えており、画像ファイル情報とあわせて、画像ファイル情報の撮像位置情報が記録可能であれば、サーバー２２は、画像ファイル情報の撮像位置情報より、バックアップを行なうファイルを選別（例えば、同一の位置情報の画像ファイル選択を避ける等）する。
【００５１】
よって、ユーザの保存領域（容量）に制限があっても、予め設定された内容により、重要と判断されるデータを優先的にバックアップすることができる。
【００５２】
従って、本実施の形態によるユーザ端末の個人情報管理システムによれば、
ユーザ１によってユーザ端末３（携帯電話機３１）の単体のみによって個人情報のバックアップをサーバー装置２に対して行うことができ、また、予め設定した種類の個人情報が予め設定した日時に自動的に行なわれるので、突発的に発生する可能性のあるユーザ端末３の紛失・故障等のときには、当該機器の使用が復旧したときにサーバー装置２のサーバー２２からバックアップ情報を取り出すことができ、個人情報の紛失を最小限で食い止めることができる。
【００５３】
また、サーバー装置２にバックアップされている個人情報は、ユーザ端末３を用いてデータ編集を行うことができ、しかも、ユーザ端末３とは別機器であるパソコン端末装置５を用いてデータ編集を行うことができると共に、個人情報の
バックアップも行うことができるので、ユーザインタフェースの優れた他機器によって情報の編集・削除が行えるため、データ編集に関しては、従来のような専用の接続ケーブルを用いたと同等のユーザインタフェースが得られ、ケーブルの接続が発生しないため、使い勝手が極めて向上する。
【００５４】
次に、本発明の第２の実施の形態によるユーザ端末の個人情報管理システムを図３を用いて説明する。
【００５５】
利用者７の有する携帯電話機７１は、インターネット等の通信ネットワーク９に接続された移動体交換網９２が接続された無線交換局９３に対して電波の送受を行うように構成され、また、利用者７の有する一般加入電話７２は、一般加入電話回線９１を介して通信ネットワーク９に接続されている。
【００５６】
通信ネットワーク９に接続されたセンター１０は、本システムを用いる場合のユーザ登録を行うと共に、ユーザに対してユーザ番号とパスワードを付与するためのもので、サーバー装置８に対して専用ラインで接続されていたり通信ネットワーク９を介して接続されていて、管理者８１と双方向のデータ通信を行ってシステムの使用申込の登録を行うことができる。
【００５７】
即ち、利用者７は、サーバー８２を用いて行われる利用者７３個人情報データのバックアップ指令、即ち登録番号、パスワード及びサーバーＵＲＬの登録を、携帯電話機７１の操作キーを操作することにより行い、サーバー８２にアクセスする頻度（１日１回、１週間に１回、任意の時のみ等）と、保存する情報の種類（電話帳、着信履歴、発信履歴、着信メロディ、画像、アプリケーションソフト等）を登録する。具体的には、バックアップタイプ、バックアップ予定日時と個人情報の登録である。
【００５８】
そして、これらの使用申込を管理者８１が正式に受理した後に、利用者７に対して登録番号と仮パスワードがオフラインまたはオンラインで交付され、そのときのユーザ情報の登録が管理者８１からサーバー８２に対して行われ、利用者７が携帯電話機７１または一般加入電話７２を用いてサーバー装置８との間でデータ送受を行うための準備が完了する。
【００５９】
なお、携帯電話機７１にはその個人情報が格納された個人情報メモリが設けられ、主として電話帳データとスケジュール帳データと各種設定データとが格納され、電話帳データの内容は、電話番号一覧、着信履歴、発信履歴、並びにこれらの番号に付随する氏名や住所等の情報であり、スケジュール帳データの内容は、所定の日程管理を行うための予約日時、内容、関係者名等の情報であり、各種設定データの内容は、メールデータ、着信メロディデータ、待ち受け画面データ、ブックマークデータ、ホームページ作成データ、及び所定のアプリケーションを実行させるためのデータである。
【００６０】
そして、利用者７からサーバー装置８に対して通信ネットワーク９を介してユーザ選択指示に合わせてアクセスして、携帯電話機７１の個人情報メモリの格納データ（電話帳データ、スケジュール帳データ、各種設定データ）のバックアップを行う。
【００６１】
サーバー装置８に対するアクセスは、通信ネットワーク９を介して利用者７から行うことによって所望のバックアップを行うことができるが、一般加入電話７２から通信ネットワーク９を介して行なうこともできる。
【００６２】
従って、携帯電話機７１と一般加入電話７２のいずれからも、電話帳データ、スケジュール帳データ、各種設定データ等が格納された個人情報メモリの最新情報に更新したり、サーバー８２の内容に書き替えることができ、当該のデータは、利用者７の携帯電話機７１に対して任意のときに自機または一般加入電話７２からの指令によってダウンロードさせることが可能である。
【００６３】
なお、このような一連のバックアップの最中もしくはデータ編集の最中に、携帯電話機７１に対する呼出しが行われたり、携帯電話機７１の発信が行われたり、携帯電話機７１の動作が何らかの原因でエラーとなったときには、本来の通話に関する機能を最優先して実行できるようにし、これらの発信やアラーム等に基づく処理を個人情報メモリのデータ閲覧、データ更新、データ書き替えに優先して行い、携帯電話機７１を通常通信に使用するときの影響を極力に少なくするようにしている。
【００６４】
従って、本実施の形態によるユーザ端末の個人情報管理システムによれば、
利用者７によって携帯電話機７１の単体のみによって個人情報のバックアップをサーバー装置８に対して行うことができ、また、予め設定した種類の個人情報が予め設定した日時に自動的に行なわれるので、突発的に発生する可能性のある携帯電話機７１の紛失・故障等のときには、当該機器の使用が復旧したときにサーバー装置８のサーバー８２からバックアップ情報を取り出すことができ、個人情報の紛失を最小限で食い止めることができる。
【００６５】
また、サーバー８２にバックアップされている個人情報は、携帯電話機７１を用いてデータ編集を行うことができ、しかも、携帯電話機７１とは別機器である一般加入電話７２を用いてデータ編集を行うことができると共に、個人情報のバックアップも行うことができるので、ユーザインタフェースの優れた他機器によって情報の編集・削除が行えるため、データ編集に関しては、従来のような専用の接続ケーブルを用いたのと同等のユーザインタフェースが得られ、ケーブルの接続が発生しないため、使い勝手が極めて向上する。
【００６６】
【発明の効果】
以上の説明で明らかなように、本発明によるユーザ端末の個人情報管理システムは、第１に、ユーザは携帯電話単体のみで個人情報のバックアップが行え、また自動で行うように設定すれば、突発的に発生する携帯電話の紛失・故障等の時にも個人情報の紛失が最小限で食い止められるという効果がある。
【００６７】
また第２の効果として、ユーザインタフェースの優れたパソコンや一般加入電話等によって情報の編集・削除が行える為、データ編集に関しては市販の製品と同等のユーザインタフェースが得られ、ケーブルの接続等が発生しない為、接続に関しては市販の製品よりも容易になっている。
【００６８】
従って、本発明によるユーザ端末の個人情報管理システムは、携帯電話機やＰＤＡ等のユーザ端末の有する個人情報をバックアップする際に、接続コードを用いてユーザ端末とパソコンを接続する等の手間隙を掛けることなく、ユーザ端末の単体でもって自機の個人情報メモリの内容を自動的にバックアップすることができ、環境を整えた場合には、ユーザインタフェースを大幅に向上させることができるユーザ端末の個人情報管理システムを提供することができる。
【図面の簡単な説明】
【図１】本発明の第１の実施の形態によるユーザ端末の個人情報管理システムの全体構成図である。
【図２】図１中に示される携帯電話機に内蔵される個人情報メモリのバックアップの種類を概念的に示すデータ格納図である。
【図３】本発明の第２の実施の形態によるユーザ端末の個人情報管理システムの全体構成図である。
【符号の説明】
１  ユーザ
２  サーバー装置
３  携帯電話（ユーザー端末）
４  通信ネットワーク
５  パソコン端末装置
６  通信ネットワーク
７  利用者
７１  携帯電話機
７２  一般加入電話
８  サーバー装置
８１  管理者
８２  サーバー
９  通信ネットワーク
９１  一般加入電話回線
１０  センター
１１  登録センター
２１  サーバー管理者
２２  サーバー
３１  携帯電話機
３２  電話帳データ
３３  スケジュール帳データ
３４  各種設定データ
５１  パソコン
５２  電話帳データ
５３  スケジュール帳データ
５４  各種設定データ
【図１】
2004187228.tif 000003
【図２】
2004187228.tif 000004
【図３】
2004187228.tif 000005